【手続補正書】
【提出日】平成17年11月25日(2005.11.25)
【手続補正１】
【補正対象書類名】明細書
【補正対象項目名】発明の名称
【補正方法】変更
【補正の内容】
【発明の名称】情報管理装置、方法及びプログラム
【手続補正２】
【補正対象書類名】明細書
【補正対象項目名】特許請求の範囲
【補正方法】変更
【補正の内容】
【特許請求の範囲】
【請求項１】
着脱可能な記録媒体に記録される番組データの管理を行う情報管理装置であって、
装着された記録媒体の所定エリアに前記番組データに関する番組情報を記録する記録手段と、
前記記録手段によって記録された前記番組情報を当該番組情報が記録された記録媒体の識別情報に対応させてメモリに格納する格納手段と、
記録媒体が装着された場合または記録媒体の離脱処理実行時、当該記録媒体の識別情報に基づいて、前記メモリに格納された番組情報と前記記録媒体に記録された番組情報とが一致するように前記記録手段の記録処理または前記格納手段の格納処理を制御する制御手段と、
を有することを特徴とする情報管理装置。
【請求項２】
前記制御手段は、記録媒体が装着された場合に当該記録媒体に記録された番組情報と、当該記録媒体の識別情報に対応させて前記メモリに格納された番組情報とを比較し、番組情報が不一致の場合に、前記メモリに格納された番組情報を前記記録媒体に記録されている番組情報に書き換えることを特徴とする請求項１に記載の情報管理装置。
【請求項３】
前記制御手段は、記録媒体の離脱処理実行時に当該記録媒体に記録された番組情報と、当該記録媒体の識別情報に対応させて前記メモリに格納された番組情報とを比較し、番組情報が不一致の場合に、前記記録媒体に記録された番組情報を前記メモリに格納されている番組情報に書き換えることを特徴とする請求項１に記載の情報管理装置。
【請求項４】
前記メモリに格納された番組情報を表示部に表示させる表示制御手段を有し、前記表示制御手段は、装着されている記録媒体に対応する番組情報の表示及び装着されている記録媒体以外の記録媒体に対応する番組情報の表示を制御することを特徴とする請求項１に記載の情報管理装置。
【請求項５】
前記識別情報は記録媒体固有の情報であり、さらに、装着された記録媒体に前記識別情報とは異なる第２の識別情報を割り当てる割当手段を有し、
前記格納手段は前記第２の識別情報を前記記録媒体固有の情報に対応付けて前記メモリに格納することを特徴とする請求項１に記載の情報管理装置。
【請求項６】
前記割当手段は装着された記録媒体固有の情報又は前記第２の識別情報が前記メモリに既に格納されているか否か判別し、当該固有の情報又は前記第２の識別情報が格納されていない場合に、前記格納手段が前記固有の情報又は前記第２の識別情報をメモリに格納することを特徴とする請求項５に記載に情報管理装置。
【請求項７】
着脱可能な記録媒体に記録される番組データの管理を行う情報管理方法であって、
装着された記録媒体の所定エリアに前記番組データに関する番組情報を記録する記録ステップと、
前記記録ステップによって記録された前記番組情報を当該番組情報が記録された記録媒体の識別情報に対応させてメモリに格納する格納ステップと、
記録媒体が装着された場合または記録媒体の離脱処理実行時、当該記録媒体の識別情報に基づいて、前記メモリに格納された番組情報と前記記録媒体に記録された番組情報とが一致するように前記記録ステップの記録処理または前記格納ステップの格納処理を制御する制御ステップと、
を有することを特徴とする情報管理方法。
【請求項８】
前記制御ステップは、記録媒体が装着された場合に当該記録媒体に記録された番組情報と、当該記録媒体の識別情報に対応させて前記メモリに格納された番組情報とを比較し、番組情報が不一致の場合に、前記メモリに格納された番組情報を前記記録媒体に記録されている番組情報に書き換えることを特徴とする請求項７に記載の情報管理方法。
【請求項９】
前記制御ステップは、記録媒体の離脱処理実行時に当該記録媒体に記録された番組情報と、当該記録媒体の識別情報に対応させて前記メモリに格納された番組情報とを比較し、番組情報が不一致の場合に、前記記録媒体に記録された番組情報を前記メモリに格納されている番組情報に書き換えることを特徴とする請求項７に記載の情報管理方法。
【請求項１０】
前記メモリに格納された番組情報を表示部に表示させる表示制御ステップを有し、前記表示制御ステップは、装着されている記録媒体に対応する番組情報の表示及び装着されている記録媒体以外の記録媒体に対応する番組情報の表示を制御することを特徴とする請求項７に記載の情報管理方法。
【請求項１１】
前記識別情報は記録媒体固有の情報であり、さらに、装着された記録媒体に前記識別情報とは異なる第２の識別情報を割り当てる割当ステップを有し、
前記格納ステップは前記第２の識別情報を前記記録媒体固有の情報に対応付けて前記メモリに格納することを特徴とする請求項７に記載の情報管理方法。
【請求項１２】
前記割当ステップは装着された記録媒体固有の情報又は前記第２の識別情報が前記メモリに既に格納されているか否か判別し、当該固有の情報又は前記第２の識別情報が格納されていない場合に、前記格納ステップが前記固有の情報又は前記第２の識別情報をメモリに格納することを特徴とする請求項１１に記載に情報管理方法。
【請求項１３】
請求項７乃至請求項１２の何れか１項に記載の情報管理方法をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、着脱可能な記録媒体に記録される番組データの管理を行う情報管理装置、方法及びプログラムに関する。
【手続補正４】
【補正対象書類名】明細書
【補正対象項目名】０００６
【補正方法】変更
【補正の内容】
【０００６】
本発明は、このようなラックを設けることなく、リムーバブル型メディアとその記録内容との対応関係を容易に把握可能とする情報管理装置、方法及びプログラムを提示することを目的とする。
【手続補正５】
【補正対象書類名】明細書
【補正対象項目名】０００７
【補正方法】変更
【補正の内容】
【０００７】
【課題を解決するための手段】
このような目的下において、本発明に係る情報管理装置は、着脱可能な記録媒体に記録される番組データの管理を行う情報管理装置であって、装着された記録媒体の所定エリアに前記番組データに関する番組情報を記録する記録手段と、前記記録手段によって記録された前記番組情報を当該番組情報が記録された記録媒体の識別情報に対応させてメモリに格納する格納手段と、記録媒体が装着された場合または記録媒体の離脱処理実行時、当該記録媒体の識別情報に基づいて、前記メモリに格納された番組情報と前記記録媒体に記録された番組情報とが一致するように前記記録手段の記録処理または前記格納手段の格納処理を制御する制御手段と、を有することを特徴とする。
本発明に係る情報管理方法は、着脱可能な記録媒体に記録される番組データの管理を行う情報管理方法であって、装着された記録媒体の所定エリアに前記番組データに関する番組情報を記録する記録ステップと、前記記録ステップによって記録された前記番組情報を当該番組情報が記録された記録媒体の識別情報に対応させてメモリに格納する格納ステップと、記録媒体が装着された場合または記録媒体の離脱処理実行時、当該記録媒体の識別情報に基づいて、前記メモリに格納された番組情報と前記記録媒体に記録された番組情報とが一致するように前記記録ステップの記録処理または前記格納ステップの格納処理を制御する制御ステップと、を有することを特徴とする。
本発明に係るプログラムは、上記情報管理方法をコンピュータに実行させるためのプログラムである。